(57)【要約】【課題】化粧品の特性を評価するための試料塗布膜を試料塗布膜形成用プレートに形成する作業を簡易に行うことができる試料塗布膜形成用ツールおよび滑り止めシートを提供する。【解決手段】試料塗布膜形成用ツール１０は、化粧品の特性を評価するための試料塗布膜を形成する試料塗布膜形成用プレート１２と、塗布膜形成用プレート１２が載置される滑り止めシート１４からなる。滑り止めシート１４は、シリコンゴムまたはウレタンゴムからなる平滑表面を有する平板である。滑り止めシート１４は、黒色に着色され、または中央に開口を有し、または試料塗布膜形成用プレート１２とほぼ同じ平面寸法に形成され、１〜５ｍｍの厚みを有する。【選択図】図１
0003157840.tif 000002
【実用新案登録請求の範囲】
【請求項１】
化粧品の特性を評価するための試料塗布膜を形成する試料塗布膜形成用プレートと、該塗布膜形成用プレートが載置される滑り止めシートからなる試料塗布膜形成用ツール。
【請求項２】
請求項１記載の試料塗布膜形成用ツールに用いられ、シリコンゴムまたはウレタンゴムからなる平滑表面を有する平板であることを特徴とする滑り止めシート。
【請求項３】
黒色に着色されてなることを特徴とする請求項２記載の滑り止めシート。
【請求項４】
前記試料塗布膜形成用プレートの試料塗布膜形成領域に対応して、中央に開口を有することを特徴とする請求項２記載の滑り止めシート。
【請求項５】
前記試料塗布膜形成用プレートとほぼ同じ平面寸法に形成され、１〜５ｍｍの厚みを有することを特徴とする請求項２記載の滑り止めシート。
【請求項６】
前記試料塗布膜形成用プレートが皮膚の表面性状を模して粗面に形成される表面を有する皮膚代替膜であることを特徴とする請求項１記載の試料塗布膜形成用ツール。
【考案の詳細な説明】
【技術分野】
【０００１】
本考案は、化粧品の特性を評価するための試料塗布膜を形成するのに用いられる試料塗布膜形成用ツールに関する。
【背景技術】
【０００２】
例えばボディケア化粧品については、ヒトの皮膚に塗布等した状態におけるこれら化粧品の特性を評価することが有用である。
ボディケア化粧品の一種であるＵＶ（紫外線）ケア化粧品の場合、ＳＰＦ（Sun Protection Factor）という指標を用いて、ＵＶケア化粧品を塗布した状態および塗布していない状態の実際の皮膚にそれぞれ所定量の紫外線を照射して日焼けを生じるかどうかで紫外線防止効果を評価している。
しかしながら、ＳＰＦは、評価方法として煩雑で、費用や日数の問題も無視できない。
【０００３】
このため、皮膚の凹凸等の表面状態を擬似的に再現した樹脂製等の皮膚代替膜を用い、この皮膚代替膜にＵＶケア化粧品を塗布して、得られる塗布膜のＵＶ透過特性をＵＶ分光装置によって測定し、この結果をＳＰＦの代替指標として用いることも行われている（例えば特許文献１参照）。
【０００４】
皮膚代替膜は、ＵＶケア化粧品を塗布した皮膚代替膜をそのままＵＶ分光装置にかけてＵＶ特性を評価するために、一定のＵＶ透過性を有する材料であることが求められる。
【０００５】
このような皮膚代替膜としては、例えば、一辺が数十ｍｍで厚みが１ｍｍ弱の透明な、アクリル板、ポリエチレン板またはナイロン板（ナイロンは登録商標）等を用いることができる。
【０００６】
ＵＶケア化粧品を塗布するための皮膚代替膜は、ＵＶケア化粧品の塗布状態を目視で確認できるように、例えば黒色の板や台の上に置かれる。これにより、皮膚代替膜のＵＶケア化粧品を塗布した領域は不透明となり塗布していない透明な領域とのコントラストがはっきりするので、塗布状態を目視で容易に確認しながらＵＶケア化粧品を塗布することができる。
【０００７】
ところで、ＳＰＦについては、測定する際のＵＶケア化粧品の皮膚への塗布量を２ｍｇ／ｃｍ２とする規定がある。このため、ＳＰＦの代替指標を測定する場合においても、ＳＰＦとの相関性を高めるうえで、ＵＶケア化粧品の皮膚代替膜への塗布量を２ｍｇ／ｃｍ２程度とすることが望ましい。
この所定量のＵＶケア化粧品は、例えば、天秤の上皿に載せた化粧品を秤量しながら、シリンジのような器具を用いて皮膚代替膜の例えば４０箇所以上の広い範囲に滴下し、手指で押し広げることにより、皮膚代替膜の例えば２５ｃｍ２の領域に薄膜に塗布される。皮膚への塗布状態を再現しながら皮膚代替膜に均一に薄膜状に塗布するには、皮膚の表面状態を極力再現した皮膚代替膜を用いることが最も重要であることはいうまでもないが、それだけではなく、経験に裏打ちされた再現性の高い塗布技術を駆使して能率的に行うことも大切である。
【０００８】
例えば、黒色の板等の上に皮膚代替膜を置いただけの状態でＵＶケア化粧品を塗布すると、皮膚代替膜が板等の上で滑って塗布ムラを生じ、さらには塗布作業が困難になる事態も起こりえる。
【０００９】
このような不具合を避けるために、例えば、皮膚代替膜を板等の上に一方の手指で固定しながら他方の手指でＵＶケア化粧品を塗布し、あるいは固定用の治具を用いることが考えられるが、これらの手段では塗布作業が煩雑となるとともに、皮膚代替膜を固定する手指が塗布面に触れること等により精密な塗布に支障を来たすおそれもある。
【００１０】
また例えば、皮膚代替膜を両面テープ等で台等の上に固定して作業を行うことも考えられるが、塗布作業の煩雑さはこれによっても完全に解消することはできない。
【００１１】
なお、上記の皮膚代替膜を用いてＵＶケア化粧品の特性を評価する場合に限らず、試料塗布膜を形成する試料塗布膜形成用プレートを用いて化粧品の特性を評価する手法は有用である。
【先行技術文献】
【特許文献】
【００１２】
【特許文献１】特開２００２−４８７８９号公報
【考案の概要】
【考案が解決しようとする課題】
【００１３】
解決しようとする問題点は、化粧品の特性を評価するための試料塗布膜を試料塗布膜形成用プレートに形成する作業が煩雑である点である。
【課題を解決するための手段】
【００１４】
本考案に係る試料塗布膜形成用ツールは、化粧品の特性を評価するための試料塗布膜を形成する試料塗布膜形成用プレートと、該塗布膜形成用プレートが載置される滑り止めシートからなる。
【００１５】
また、本考案に係る滑り止めシートは、上記の試料塗布膜形成用ツールに用いられ、シリコンゴムまたはウレタンゴムからなる平滑表面を有する平板であることを特徴とする。
【００１６】
また、本考案に係る滑り止めシートは、好ましくは、黒色に着色されてなることを特徴とする。
【００１７】
また、本考案に係る滑り止めシートは、好ましくは、前記試料塗布膜形成用プレートの試料塗布膜形成領域に対応して、中央に開口を有することを特徴とする。
【００１８】
また、本考案に係る滑り止めシートは、好ましくは、前記試料塗布膜形成用プレートとほぼ同じ平面寸法に形成され、１〜５ｍｍの厚みを有することを特徴とする。
【００１９】
また、本考案に係る試料塗布膜形成用ツールは、好ましくは、前記試料塗布膜形成用プレートが皮膚の表面性状を模して粗面に形成される表面を有する皮膚代替膜であることを特徴とする。
【考案の効果】
【００２０】
本考案に係る試料塗布膜形成用ツールは、化粧品の特性を評価するための試料塗布膜を形成する試料塗布膜形成用プレートと、塗布膜形成用プレートが載置される滑り止めシートからなるため、試料塗布膜形成用プレートを滑り止めシートの上に簡易に固定することができ、化粧品を塗布する作業の煩雑さが軽減される。
また、本考案に係る滑り止めシートは、上記の試料塗布膜形成用ツールに用いられるシリコンゴムまたはウレタンゴムからなる平滑表面を有する平板であるため、試料塗布膜形成用ツールに好適に用いることができる。
【図面の簡単な説明】
【００２１】
【図１】図１は本実施の形態に係る試料塗布膜形成用ツールの構成を示す図である。
【図２】図２は皮膚代用膜の写真を示す図である。
【図３】図３は滑り止めシートの中央に開口を形成した状態を説明するための図である。
【考案を実施するための形態】
【００２２】
本考案の実施の形態について図１〜図３を参照して説明する。
【００２３】
図１に示すように、本実施の形態に係る試料塗布膜形成用ツール１０は、試料塗布膜形成用プレート１２と、塗布膜形成用プレート１２が載置される滑り止めシート１４で構成される。なお、図１中矢印Ａは、試料塗布膜形成用ツール１０が置かれるベース板あるいは台を示す。
【００２４】
試料塗布膜形成用プレート１２は、化粧品の特性を評価するための試料塗布膜（試料用塗布膜）を形成するためのものである。試料塗布膜形成用プレート１２には、少量の化粧品が均一に薄膜状に塗布される。
試料塗布膜形成用プレート１２に塗布した供試試料を評価する化粧品の特性は、例えば、化粧品塗布膜中に含まれる成分の濃度や分布状態等、また化粧品塗布膜の分光学特性等の適宜の特性である。ＵＶケア化粧品等の皮膚外用剤の紫外線特性を評価することは、広く実施されている好ましい実施態様である。
【００２５】
試料塗布膜形成用プレート１２の形状は特に限定するものではなく、必要とする塗布量や塗布膜の厚み等に応じて、例えば、一辺が４０〜６０ｍｍの正方形で厚みが０．３〜１ｍｍ程度のものを用いることができる。
試料塗布膜形成用プレート１２の材料は特に限定するものではなく適宜のものを用いることができ、透明アクリル樹脂版、透明ナイロン樹脂板（ナイロンは登録商標）、透明性の高いポリプロピレン樹脂板、透明性の高いポリエチレン樹脂板等を好適に用いることができる。これらの樹脂板は、化粧品のＵＶ特性を評価する場合に求められる適度の紫外線透過性を有する点においても好適である。
試料塗布膜形成用プレート１２として前記の皮膚代用膜（図２参照）を用いることは好ましい実施態様である。
【００２６】
滑り止めシート１４は、特に限定するものではなく、例えば市販の滑り止めシートを用いることができる。
ただし、市販の滑り止めシートは、滑り止め効果を発現するために凹凸を有する等の特異な形状に形成され、また、弾力性の程度がさまざまであることが多い。
例えば所定量のＵＶケア化粧品等を皮膚への塗布状態を再現しながら皮膚代替膜に均一に薄膜状に塗布するには、滑り止めシート１４は、シリコンゴムまたはウレタンゴムからなり、平滑表面を有する平板であることが好ましい。
【００２７】
本考案者が鋭意検討したところ、シリコンゴムまたはウレタンゴムで形成した平滑表面を有する平板状の滑り止めシート１４は、試料塗布膜形成用プレート１２との間および滑り止めシート１４を置くベース板や台との間で高い密着力を発揮し、滑り現象が全く発生しなかった。これに対して、シリコンゴムまたはウレタンゴムに換えて天然ゴム、ＮＢＲ（nitril-butadiene rubber）、ＥＰＤＭ（Ethylene  Propylene Methylene Linkage）等を用いると滑り止め効果はほとんど得られなかった。理由は定かではないが、シリコンゴムやウレタンゴムの場合、元来自己粘着性を有し、また適度の柔軟性を備えることも一因となって試料塗布膜形成用プレート１２等との間で高い密着性を発現するものと考えられる。シリコンゴムやウレタンゴムで形成する滑り止めシート１４は、高い耐久性を有する点でも好ましい。これに対して、例えばＮＢＲの場合、表面に凹凸があることが粘着性を阻害しているのではないかと考えられる。
滑り止めシート１４は、シリコンゴムまたはウレタンゴムからなり、平滑表面を有する平板のものに限らず、これらと同様の作用効果を有するものである限り、適宜の樹脂板やそれ以外の材料を用いることができる。
以下、シリコンゴムまたはウレタンゴムで形成した平滑表面を有する平板状の滑り止めシートを平滑板状滑り止めシートと略称して説明を続ける。
【００２８】
平滑板状滑り止めシートは、無色透明や有色透明、さらには無色半透明や有色半透明の適宜のものを用いることができ、このとき、平滑板滑り止めシートを黒色のベース板や黒色の台に載せて使用する。これにより、試料塗布膜形成用プレート１２上への化粧品の塗布状況を容易に視認しながら均一に塗布することができる。
【００２９】
また、平滑板状滑り止めシートは、例えばゴムを練る際に黒色の着色剤を添加する等の方法で黒色に着色したものであると、平滑板状滑り止めシートを載せるベース板や台として黒色に限定されない適宜のものを用いることができる。
【００３０】
また、平滑板状滑り止めシート（滑り止めシート１４と同じ参照符号を付す。）は、図３に示すように試料塗布膜形成用プレート１２に塗布される試料塗布膜形成領域（図３中、矢印Ｂで示す。）に対応して、中央に例えば直径８ｍｍの開口１６を有すると、例えば黒色のベース板や台の上に透明な平滑板状滑り止めシートを置いて化粧品を塗布する際に、試料塗布膜形成用プレート１２上への化粧品の塗布状況を容易に視認しながら均一に塗布することができる。
【００３１】
また、平滑板状滑り止めシートは、試料塗布膜形成用プレート１２とほぼ同じ平面寸法に形成され（図３参照）、１〜５ｍｍの厚みを有するものが好ましい。
例えば厚みが１ｍｍ弱の薄い試料塗布膜形成用プレート１２を黒色のベース板や台の上に置いて試料塗布膜形成用プレート１２に化粧品を塗布する場合、熟練度の低い作業者が試料塗布膜形成用プレート１２をはみ出してベース板や台の上にも塗布してしまうことが起こりえる。この場合、単に化粧品をロスし、あるいはベース板や台を汚損するという問題以上に、所定量の化粧品を使った適切な塗布膜が得られないことが大きな問題となる。
これに対して、試料塗布膜形成用プレート１２とほぼ同じ平面寸法をもち、かつ１〜５ｍｍの厚みの平滑板状滑り止めシートを試料塗布膜形成用プレート１２とベース板や台の間に介在させることで、塗布膜が試料塗布膜形成用プレート１２をはみ出して平滑板状滑り止めシートに塗布されるおそれがなく、また、試料塗布膜形成用プレート１２をベース板や台から十分に離間させることができるので、塗布膜が試料塗布膜形成用プレート１２をはみ出してベース板等に塗布されることもない。
平滑板状滑り止めシートの平面寸法は、上記の作用効果が得られるものである限り、試料塗布膜形成用プレート１２よりわずかに大きなものであってもよく、また、わずかに小さなものであってもよい。また、平滑板状滑り止めシートの厚みは、１ｍｍよりも極端に薄いと上記の作用効果や滑り止めの効果を十分に得ることができないおそれがあり、一方５ｍｍよりも極端に厚いと平滑板状滑り止めシートの材料に無駄を生じ、また取扱が煩雑である。
【００３２】
以上説明した本実施の形態に係る試料塗布膜形成用ツール１０および滑り止めシート１４を用いることで、試料塗布膜形成用プレート１２を滑り止めシート１４の上に簡易に固定することができ、試料塗布膜形成作業の煩雑さが軽減される。
【符号の説明】
【００３３】
１０  試料塗布膜形成用ツール
１２  試料塗布膜形成用プレート
１４  滑り止めシート
【図１】
0003157840.tif 000003
【図３】
0003157840.tif 000004
【図２】
0003157840.tif 000005